(57)【要約】【課題】接続用接点が露出している場合であっても静電気による損傷を受け難いカメラの接続装置を提供する。【解決手段】カメラ本体１００に設けられ、カメラに装着可能なレンズ鏡筒５０の装着に連動して可動する接触ピン５と、この接触ピン５と常時導通しているグランド接触片２１と、カメラ中に設けられた電気回路に電気的に接続されていて、レンズ鏡筒５０がカメラに未装着のときにはグランド接触片２１との導通が断たれていて、レンズ鏡筒がカメラに装着されたときには接触ピン５の移動に連動してグランド接触片２１と接触を行うスイッチ接触片２２を有している。また、カメラのグランドレベルに接続されていて、レンズ鏡筒５０がカメラに装着されていないときにはグランド接触片２１と接触していて、レンズ鏡筒がカメラに装着されたときには接触ピン５の移動に連動してグランド接触片２１との接触が断たれるグランド片２３を有している。  【選択図】  図２
2009003362.tif 000002
【特許請求の範囲】
【請求項１】
カメラ本体に設けられ、カメラに装着可能な付属品の装着に連動して可動する接触ピンと、
この接触ピンと常時導通している第１の接触片と、
上記カメラ中に設けられた電気回路に電気的に接続されていて、上記付属品が上記カメラに装着されていないときには上記第１の接触片との導通が断たれていて、上記付属品が上記カメラに装着されたときには上記接触ピンの移動に連動して上記第１の接触片と接触を行う第２の接触片と、
を有することを特徴としたカメラの接続装置。
【請求項２】
上記カメラの外部導電部材に接続されていて、上記付属品が上記カメラに装着されていないときには上記第１の接触片と接触していて、上記付属品が上記カメラに装着されたときには上記接触ピンの移動に連動して上記第１の接触片との接触が断たれる第３の接触片を更に有することを特徴とする請求項１に記載のカメラの接続装置。
【請求項３】
上記第２の接触片は上記カメラを制御する制御手段のポートに接続されていることを特徴とする請求項１又は請求項２に記載のカメラの接続装置。
【請求項４】
上記第３の接触片と接続されている上記外部導電部材は交換レンズをマウントするためのボディマウントであることを特徴とする請求項２に記載のカメラの接続装置。
【請求項５】
上記接触ピンは、上記付属品が上記カメラに装着されていないときには上記外部導電部材と導通していることを特徴とする請求項２に記載のカメラの接続装置。
【請求項６】
上記第３の接触片は、上記カメラの電気的グランドに導通されていることを特徴とする請求項２に記載のカメラの接続装置。
【請求項７】
カメラ本体に設けられ、カメラに装着可能な付属品の装着に連動して可動する接続用接点と、
この接続接点に接続された接片と、
上記カメラ本体内の電気回路と接続され、上記カメラ本体に上記付属品が装着された際に、上記接片と接続する第１の接点と、
上記カメラ本体内の電気的グランドレベルに接続され、上記カメラ本体に上記付属品が未装着の際に、上記接片と接続する第２の接点と、
を具備することを特徴とするカメラの接続装置。
【請求項８】
カメラ本体に設けられ、カメラに装着可能な付属品の装着に連動して可動する接続用接点と、
上記カメラ中に設けられた電気回路に電気的に接続されており、上記付属品が上記カメラに装着されていないときには上記接続用接点との電気的導通が遮断され、一方、上記付属品が上記カメラに装着されたときには上記接続用接点との電気的導通がなされるスイッチ接片と、
を具備することを特徴とするカメラの接続装置。
【発明の詳細な説明】
【技術分野】
【０００１】
本発明は、接続装置に関し、詳しくはカメラに装着可能な付属品と電気的に接続するカメラの接続装置に関する。
【背景技術】
【０００２】
カメラは、交換レンズ、ストロボ装置等の装着可能な付属品から情報を取得し、また制御するために、これらの付属品との電気的接点を有している。例えば、特許文献１には、交換レンズと電気的な接続を可能とするために、接触ピンに可撓性プリント基板を当接させ、可撓性プリント基板の裏面側から板バネで押圧するようにした電気接続構造が開示されている。
【特許文献１】特開昭６１−１３８４７７号公報
【発明の開示】
【発明が解決しようとする課題】
【０００３】
特許文献１に開示の電気接続構造によれば、小型で確実な電気的接続を得ることができる。しかしながら、付属品である交換レンズ等がカメラに未装着の状態では、接触ピン等の接続用接点が露出してしまう。このため、静電気が接続用接点を通じてカメラの電気回路を損傷してしまうおそれがあった。
【０００４】
本発明は、このような事情を鑑みてなされたものであり、接続用接点が露出している場合であっても静電気による損傷を受け難いカメラの接続装置を提供することを目的とする。
【課題を解決するための手段】
【０００５】
上記目的を達成するため第１の発明に係わるカメラの接続装置は、カメラ本体に設けられ、カメラに装着可能な付属品の装着に連動して可動する接触ピンと、この接触ピンと常時導通している第１の接触片と、上記カメラ中に設けられた電気回路に電気的に接続されていて、上記付属品が上記カメラに装着されていないときには上記第１の接触片との導通が断たれていて、上記付属品が上記カメラに装着されたときには上記接触ピンの移動に連動して上記第１の接触片と接触を行う第２の接触片を有する。
【０００６】
第２の発明に係わるカメラの接続装置は、上記第１の発明において、上記カメラの外部導電部材に接続されていて、上記付属品が上記カメラに装着されていないときには上記第１の接触片と接触していて、上記付属品が上記カメラに装着されたときには上記接触ピンの移動に連動して上記第１の接触片との接触が断たれる第３の接触片を更に有する。
また、第３の発明に係わるカメラの接続装置は、上記第１、又は第２の発明において、上記第２の接触片は上記カメラを制御する制御手段のポートに接続されている。
さらに、第４の発明に係わるカメラの接続装置は、上記第２の発明において、上記第３の接触片と接続されている上記外部導電部材は交換レンズをマウントするためのボディマウントである。
さらに、第５の発明に係わるカメラの接続装置は、上記第２の発明において、上記接触ピンは、上記付属品が上記カメラに装着されていないときには上記外部導電部材と導通している。
さらに、第６の発明に係わるカメラの接続装置は、上記第２の発明において、上記第３の接触片は、上記カメラの電気的グランドに導通されている。
【０００７】
上記目的を達成するため第７の発明に係わるカメラの接続装置は、カメラ本体に設けられ、カメラに装着可能な付属品の装着に連動して可動する接続用接点と、この接続接点に接続された接片と、上記カメラ本体内の電気回路と接続され、上記カメラ本体に上記付属品が装着された際に、上記接片と接続する第１の接点と、上記カメラ本体内の電気的グランドレベルに接続され、上記カメラ本体に上記付属品が未装着の際に、上記接片と接続する第２の接点を具備する。
【０００８】
上記目的を達成するため第８の発明に係わるカメラの接続装置は、カメラ本体に設けられ、カメラに装着可能な付属品の装着に連動して可動する接続用接点と、上記カメラ中に設けられた電気回路に電気的に接続されており、上記付属品が上記カメラに装着されていないときには上記接続用接点との電気的導通が遮断され、一方、上記付属品が上記カメラに装着されたときには上記接続用接点との電気的導通がなされるスイッチ接片を具備する。
【発明の効果】
【０００９】
本発明によれば、接続用接点が露出している場合であっても静電気による損傷を受け難いカメラの接続装置を提供することができる。
【発明を実施するための最良の形態】
【００１０】
以下、図面に従って本発明を適用したデジタルカメラを用いて好ましい実施形態について説明する。一実施形態に係わるデジタルカメラは、ストロボ装置や交換レンズ等の付属品（アクセサリ）が装着可能であるが、本実施形態の説明においては、付属品として交換レンズを装着するための接続装置について説明する。
【００１１】
図１は、本実施形態に係わるカメラの正面図であり、図２はカメラの接続装置の周辺の要部断面図である。カメラ本体１００の正面のほぼ中央部にはレンズ鏡筒５０（図３参照）を装着するための略円周状のマウント１が設けられ、このマウント１内は開口部となっている。この開口部はミラーボックス２に通じており、ミラーボックス２内には、交換レンズ５０からの被写体光束をペンタプリズム１４側に反射するための可動反射ミラー３が配置されている。
【００１２】
また、開口部内であって、可動反射ミラー３より手前側（マウント１側）には、複数の通信用の接触ピン５を保持する接点台４が設けられている。マウント１のマウント面にはレンズ鏡筒５０を着脱するための着脱ピン６が配置されており、この着脱ピン６は、マウント１の近傍に設けられた着脱釦７の操作によって、レンズ鏡筒５０内の撮影レンズ５１（図３参照）の光軸方向に沿って摺動可能となっている。
【００１３】
また、カメラ本体１００の上面には、撮影動作を指令するためのシャッタレリーズ釦１２が配置されており、その近傍には、撮影モードを設定するためのモードダイヤル１３およびモード釦１１が設けられている。モードダイヤル１３はカメラの露出モード（マニュアル露出、絞り優先露出、シャッタスピード優先露出、プログラム露出等）を設定するダイヤルである。また、モード釦１１は、モードダイヤル１３で設定した露出モードでの露出値にユーザーの好みに応じて補正を加えるための露出補正値を設定するために操作される釦である。被写体像を光学系的に左右反転させるためのペンタプリズム１４が、カメラ本体１００の上部内部に配置されており、このペンタプリズム１４を収納するためにカメラ本体１００より突出している。
【００１４】
接点台４は、図２に示すように、カメラ本体１００の外装部材２４によって支持されており、接点台４と外装部材２４は、プラスチック等の絶縁材料によって構成されている。接触ピン５は、レンズ鏡筒５０側（レンズマウント１側）は棒状であり、反対側は平頭部を有するピン形状をなしており、接点台４の孔に貫挿されている。絶縁材料によって構成される接片支持台２５には弾性を有するグランド接触片２１が植設されており、接触ピン５の平頭部は、グランド接触片２１の一端によって押圧され、この押圧力によって接触ピン５はレンズ鏡筒５０側に突出している。
【００１５】
グランド接触片２１の基部と先端部の中間の屈曲部付近に、グランド片２３の一端側が当接している。グランド片２３は接点台４と接片支持台２５の境目に埋め込まれ、他端側はレンズマウント１に当接しており、また中間部においてカメラ本体１００の配線用のボディマウント（ＢＭＴ）フレキ２６ｂのグランドレベルに接続している。このため、グランド片２３およびボディマウント１はグランドレベルに保たれている。グランドレベルは、図３のＵＳＢコネクタ１０７のシェルや、ビデオ出力コネクタ１０８のグランド、ＡＣアダプタ１０９のグランドに接続されている。
【００１６】
接片支持台２５には、スイッチ片２２が固着されており、このスイッチ片２２の一端側は、ＢＭＴフレキ２６ａの信号ラインと接続しており、スイッチ片２２の他端側は、グランド接触片２１の背面側に延出している。グランド接触片２１とスイッチ片２２との間隔は、カメラ本体１００にレンズ鏡筒５０が装着され、接触ピン５がレンズ鏡筒５０のレンズマウント面によって押し込まれた際に、その移動量によってグランド接触片２１がスイッチ片２２に当接し、電気的導通がとれる程度の距離とする。なお、グランド接触片２１とスイッチ片２２は、接片支持台２５によって支持されるが、両スイッチ間は非導通状態を保つように絶縁されている。また、接触ピン５がレンズ鏡筒５０によって押し込まれ、グランド接触片２１が図面上で左方に移動すると、グランド接触片２１とグランド片２３の当接が解除され、非導通状態となる。
【００１７】
次に、レンズ鏡筒５０を装着可能なカメラ本体１００の構成について、図３に示す電気系を中心としたブロック図を用いて説明する。レンズ鏡筒５０の内部には、焦点調節および焦点距離調節用の撮影レンズ５１と、開口量を調節するための絞り５２が配置されている。撮影レンズ５１はレンズ駆動機構５３によって駆動され、絞り５２は絞り駆動機構５４によって駆動されるよう接続されている。レンズ駆動機構５３、絞り駆動機構５４はそれぞれレンズ制御用マイクロコンピュータ（Ｌμｃｏｍ）５５に接続されており、このＬμｃｏｍ５５は通信コネクタ６０を介してカメラ本体１００に接続されている。Ｌμｃｏｍ５５はレンズ鏡筒５０内の制御を行うものであり、レンズ駆動機構５３を制御してピント合わせや、ズーム駆動を行うとともに、絞り駆動機構５４を制御して絞り値制御を行う。
【００１８】
カメラ本体１００のミラーボックス２内には、前述した可動反射ミラー３が設けられており、被写体像を観察光学系に反射するために撮影レンズ５１の光軸に対して４５度傾いた位置と、被写体像を撮像素子７４に導くために跳ね上がった位置との間で回動可能に構成されている。この可動反射ミラー３の上方には、被写体像を結像するためのフォーカシングスクリーン６３が配置され、このフォーカシングスクリーン６３の上方には、被写体像を左右反転させるためのペンタプリズム１４が配置されている。このペンタプリズム１４の出射側(図３で右側)には被写体像観察用の接眼レンズ６５が配置され、この脇であって被写体像の観察に邪魔にならない位置に測光センサ６６が配置されている。測光センサ６６は、測光信号を読み出し処理して出力する測光回路８７に接続されている。
【００１９】
可動反射ミラー３の中央付近はハーフミラーで構成されており、この可動反射ミラー３の背面には、ハーフミラー部で透過した被写体光をカメラ本体１００のミラーボックス内の下部に反射するためのサブミラー６２が設けられている。このサブミラー６２は、可動反射ミラー３に対して回動可能であり、可動反射ミラー３が跳ね上がっているときには、ハーフミラー部を覆う位置に回動し、可動反射ミラー３が被写体像観察位置にあるときには、図示する如く可動反射ミラー３に対して開いた位置にある。この可動反射ミラー３はミラー駆動機構９３によって駆動されている。
【００２０】
また、サブミラー６２の下方には測距用センサを含むＡＦセンサユニット６７が配置されており、このＡＦセンサユニット６７は、公知のＴＴＬ瞳分割法による測距を行うためのＡＦユニットであり、内部にはＡＦセンサが設けられている。ＡＦセンサユニット６７はＡＦセンサ駆動回路９４に接続されており、ＡＦセンサ駆動回路９４は、ＡＦセンサユニット６７の回路系の駆動を行ない、ＡＦセンサから信号を読み出す。この信号出力に基づいて、撮影レンズ５１によって結像される被写体像の焦点ズレ量が求められる。
【００２１】
可動反射ミラー３の後方には、露光時間制御用のフォーカルプレーンタイプのシャッタ７１が配置されており、このシャッタ７１はシャッタチャージ機構９２によってシャッタチャージされる。また、シャッタ７１は、シャッタ制御回路９１に接続されており、シャッタ先幕および後幕の制御がなされる。シャッタ７１の後方には撮像素子７４が配置されており、撮影レンズ５１によって結像される被写体像を電気信号に光電変換する。なお、撮像素子７４としては、ＣＣＤ（Charge Coupled Devices）や、ＣＭＯＳ（Complementary Metal
Oxide Semiconductor）等の二次元撮像素子が使用できることはいうまでもない。
【００２２】
上述のシャッタ７１と撮像素子７４の間には、除塵機構を構成する防塵フィルタ７２とこの防塵フィルタ７２の周縁部に固着された圧電素子７３からなる除塵機構が配置されている。この圧電素子７３は防塵フィルタ駆動回路８８によって駆動される。防塵フィルタ７２、圧電素子７３、撮像素子７４は撮像素子ユニット７５として気密に一体化されており、内部に塵埃等が侵入しない構成としている。
【００２３】
撮像素子７４は撮像インターフェース回路８１に接続され、この撮像インターフェース回路８１によってアナログデジタル変換（ＡＤ変換）がなされる。撮像インターフェース回路８１は画像処理コントローラ８２に接続されている。この画像処理コントローラ８２はＡＤ変換された画像データに対して、色補正、ガンマ(γ)補正、コントラスト補正、白黒・カラーモード処理、ライブビュー画像処理といった各種の画像処理を行う。また、画像データをＪＰＥＧやＴＩＦＦで圧縮し、また伸張を行なう。なお、画像圧縮はＪＰＥＧやＴＩＦＦに限らず、他の圧縮方法も適用できる。
【００２４】
画像処理コントローラ８２には、バッファメモリ８４、フラッシュメモリ（Flash Memory）８５、記録メディア８６、液晶モニタ８３が接続されている。バッファメモリ８４は、ＳＤＲＡＭ（Synchronous Dynamic Random Access
Memory）で構成され、画像処理された画像データの一時記憶を行なう。フラッシュメモリは、電気的に書き換え可能な不揮発性メモリであり、画像データに対してユーザーの好みに応じて処理される画像処理に関する種々のパラメーター等が記憶されている。記録メディア８６は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体１００に対して着脱自在となっている。その他、通信接点を介してハードディスクを接続可能に構成してもよい。液晶モニタ８３は、カメラ本体１００の背面等に配置され、ライブビュー表示、撮影画像の表示、再生画像の表示および撮影情報の表示を行なう。液晶モニタに限らず、他の表示装置でもよい。
【００２５】
画像処理コントローラ８２は、カメラ本体１００を制御するコントローラであるボディ制御用マイクロコンピュータ（Ｂμｃｏｍ）１０１に接続されている。Ｂμｃｏｍ１０１は、前述の防塵フィルタ駆動回路８８、シャッタ制御回路９１、シャッタチャージ機構９２、ミラー駆動機構９３、ＡＦセンサ駆動回路９４、通信コネクタ６０、測光回路８７に接続されており、これらの回路や機構の制御を行う。
【００２６】
また、不揮発性メモリ９０、通信コネクタ１０２、動作表示用ＬＣＤ１０３、カメラ操作スイッチ１０４、ＵＳＢコネクタ１０７、ビデオ出力コネクタ１０８および姿勢センサ４０に接続されている。不揮発性メモリ９０は、ＥＥＰＲＯＭ等の電気的に書き換え可能な不揮発性メモリであり、カメラの調整値等が記憶されている。通信コネクタ６０は、レンズ鏡筒５０の電気接点と接続可能であると共にグランドレベル（ＧＮＤ）に接続され、Ｌμｃｏｍ５５と通信するためのコネクタである。この通信コネクタ６０の構成および動作については、図４乃至図６を用いて後述する。動作表示用ＬＣＤ１０３は、動作状態を表示するためにカメラ本体１００の上面等に配置された小型の液晶表示モニタである。ＵＳＢコネクタ１０７は外部とデータの入出力のやり取りを行なうためのコネクタであり、またビデオ出力コネクタ１０８は、外部にビデオ信号を出力するためのコネクタである。ＵＳＢコネクタ１０７とビデオ出力コネクタ１０８は、共にグランドレベルに接続されている。
【００２７】
カメラ操作スイッチ１０４は、シャッタレリーズ釦１２の第1ストロークや第２ストロークを検出するスイッチ、再生モードを指示するスイッチ、ＩＳＯ設定モードを指示するスイッチ、ホワイトバランス設定を指示するスイッチ、液晶モニタ８３の画面でカーソルの動きを指示するするスイッチ、モードダイヤル１３に連動して撮影モードを指示するスイッチ、選択された各モード等を決定するＯＫスイッチ、表示切換を指示するスイッチ等の種々の操作スイッチからなる。カメラ本体１００内に装填される電池１０５は、電源回路１０６に接続されており、この電源回路１０６によって所定の電圧で定電圧化されて、各回路ユニット等に給電される。また、電源回路１０６は外部のＡＣ電源（商用交流電源）から電源供給を受けるためのＡＣアダプタコネクタ１０９に接続されており、このＡＣアダプタコネクタ１０９はグランドレベルに接続されている。
【００２８】
次に、通信コネクタ６０とその周辺の回路構成について、図４を用いて説明する。接触ピン５は、７本の接触ピンから構成されており、次のような接触ピン５からなる。カメラ本体１００側の電源回路１０６と接続された電源端子Ｖｃｃ用接触ピン５、Ｂμｃｏｍ１０１の出力端子と接続され、チップセレクタ（ＣＳ）用接触ピン５、同じくＢμｃｏｍ１０１の出力端子と接続され、クロック供給のためのクロック用接触ピン５、同じくＢμｃｏｍ１０１の出力端子と接続され、データ出力のためのデータアウト（ＤＡＴＡ−Ｏ）用接触ピン５が設けられている。
【００２９】
また、Ｂμｃｏｍ１０１の入力端子と接続され、データ入力のためのデータイン（ＤＡＴＡ−Ｉ）用接触ピン５、Ｂμｃｏｍ１０１の入力端子と接続され、レンズ鏡筒５０の装着状態を検出するためのチェック用接触ピン５、およびカメラ本体１００内のグランドレベルに接続されたグランド用接触ピン５が設けられている。なお、接触ピン５とＢμｃｏｍ１０１の間には、前述してようにグランド接触片２１、スイッチ片２２、グランド片２３およびバッファアンプ等が設けられているが、これを含めた構成については、図５および図６を用いて後述する。
【００３０】
レンズ鏡筒５０側には、これらの７本の接触ピン５と電気的接続をとるために、対応する７本の接触ピン５９が設けられており、電源端子Ｖｃｃ用の接触ピン５９はＬμｃｏｍ５５や駆動回路５６に接続され、これらの回路に電源を供給している。ＣＳ端子、ＣＬＫ端子、ＤＡＴＡ−Ｏ端子、ＤＡＴＡ−Ｉ端子に接続する接触ピン５９は、Ｌμｃｏｍ５５の入力端子あるいは出力端子と電気的に接続している。チェック用端子と接続しているレンズ側の接触ピン５９は、グランドレベルに接続している。また、カメラ本体の電気的グランドレベルと接続する、レンズ鏡筒５０側のグランド用接触ピン５９は、Ｌμｃｏｍ５５や駆動回路５６のグランドレベルと接続している。
【００３１】
駆動回路５６は、レンズ駆動機構５３および絞り駆動機構５４（図３参照）を駆動するための回路であり、この駆動回路５６によってレンズ駆動機構５３内の合焦用モータ５７、および絞り駆動機構５４内の絞り用モータ５８の駆動を行なう。
【００３２】
次に、通信コネクタ６０において、レンズ鏡筒５０が未装着の状態と装着された状態における電気的接続状態について、図５および図６を用いて説明する。Ｂμｃｏｍ１０１の出力ポートには、バッファアンプ４１が設けられており、このバッファアンプ４１の出力端は、スイッチ片２２に接続されている。また、入力ポートにはバッファアンプ４２が設けられており、このバッファアンプ４２の入力端には、プルアップ抵抗４３が接続されている。プルアップ抵抗４３とバッファアンプ４２の入力端の接続点は、スイッチ片２２に接続されている。
【００３３】
前述したように、接触ピン５が突出している状態では、グランド接触片２１はグランド片２３に接続しており、一方、接触ピン５が押し込まれるとスイッチ片２２に接続する。レンズ鏡筒５０がカメラ本体１００に未装着の状態では、図５（Ａ）（Ｂ）に示すように、グランド接触片２１はグランド片２３に接続している。この状態では、Ｂμｃｏｍ１０１の出力ポートはオープン状態となっており、また、入力ポートもオープン状態であり、バッファアンプ４２はプルアップ抵抗４３を介して電圧が印加されている。このように接触ピン５はグランドレベルに接続されているので、接触ピン５に高電圧の静電気が印加されたとしても、内部の電気回路が損傷するおそれはない。また、スイッチ片２２は、オープン状態であるので、内部の電気回路に静電気が直接、印加されることがない。
【００３４】
また、レンズ鏡筒５０がカメラ本体１００に装着されると、図６（Ａ）（Ｂ）に示すように、グランド接触片２１は、スイッチ片２２に接続する。この状態では、Ｂμｃｏｍ１０１の出力ポートから出力された信号は、スイッチ片２２、グランド接触片２１および接触ピン５を通じて、レンズ鏡筒５０内のＬμｃｏｍ５５に伝達される。また、Ｌμｃｏｍ５５からの送信信号は、接触ピン５、グランド接触片２１およびスイッチ片２２を通じて、Ｂμｃｏｍ１０１に伝達される。
【００３５】
このように、付属品としてのレンズ鏡筒５０が未装着の場合には、接触ピン５がマウント開口部において露出しているが、このとき内部の回路と接続しているスイッチ片は、接触ピン５やグランド接触片２１から離間しており、静電気が印加され、内部回路が損傷するおそれがない。また、接触ピン５はグランド接触片２１とグランド片２３が接続していることからグランドレベルになっており、静電気によって内部の電気回路が損傷するおそれがない。レンズ鏡筒５０が装着されると、接触ピン５とスイッチ片２２が電気的に接続され、カメラ本体１００とレンズ鏡筒５０の間で通信を行なうことができる。なお、このとき、グランド接触片２１はグランドレベルに接続されていないが、接触ピン５はレンズ鏡筒５０によって覆われている状態であり、不用意に高電圧の静電気が印加されるおそれはない。
【００３６】
次に、このように構成された本実施形態におけるカメラ本体１００の動作について図７に示すフローチャートを用いて説明する。まず、カメラに電源電池１０５が装填されると、図７に示すパワーオンリセットのルーチンを開始し、初期設定を行なう（Ｓ１）。初期設定は、各種フラグ等の設定値を初期化すると共に、撮影光学系等の機械的部材を初期位置に駆動する。初期設定が終わると、次に、カメラ操作スイッチ１０４の状態を検出し、パワースイッチがオンか否かの判定を行なう（Ｓ３）。パワーオフ時は、ステップＳ３の判定を繰り返す待機状態となる。
【００３７】
ステップＳ３の判定の結果、パワーオンであった場合には、スイッチ検出を行なう（Ｓ５）。ここでは、カメラ操作スイッチ１０４の状態の検出信号を読み込む。続いて、モード処理変更を行なう（Ｓ７）。モード処理変更は、ステップＳ５で読み込んだスイッチ状態の検出信号に基づくモード情報に従って設定モードが変更されていた場合に行なう。
【００３８】
次に、チェックポートが“Ｌ”レベルか否かを判定する（Ｓ９）。レンズ鏡筒５０が未装着の場合には、図５（Ｂ）に示す状態であり、Ｂμｃｏｍ１０１の入力ポートは、プルアップ抵抗４３によって“Ｈ”レベルとなっており、一方、レンズ鏡筒５０が装着されると、図６（Ｂ）に示す状態になり、レンズ鏡筒５０が内部でグランド（ＧＮＤ）に接続されていることから、“Ｌ”レベルとなる。判定の結果、チェックポートが“Ｈ”の場合には、レンズ鏡筒５０が未装着であることから、レンズへの電源供給をオフする（Ｓ２５）。しかし、レンズ鏡筒５０が未装着でも、写真撮影を行う場合があることから、ステップＳ２１にジャンプし、撮影状態を許可する。
【００３９】
ステップＳ９における判定の結果、チェックポートが“Ｌ”であった場合、すなわちレンズ鏡筒５０が装着されていた場合には、レンズ鏡筒５０に電源を供給する（Ｓ１１）。電源供給は、図４において電源回路１０６に接続された電源端子Ｖｃｃ用の接触ピン５を通じて行なう。続いて、レンズ鏡筒５０との通信を行なう（Ｓ１３）。レンズ鏡筒５０との通信は、図４に示す、ＣＳ端子、ＣＬＫ端子、ＤＡＴＡ−Ｏ端子、ＤＡＴＡ−Ｉ端子の各接触ピンを通じて行なう。通信内容としては、電源供給後初めて行なう場合には、レンズ鏡筒５０の初期化を行うためのデータのやり取りであり、その後は、通常の装着しているレンズ鏡筒５０の焦点距離、開放絞り値、焦点位置等のデータである。
【００４０】
次に、１Ｒスイッチの状態を判定する（Ｓ１５）。判定の結果、オフであった場合には、ステップＳ３のパワースイッチの判定に戻り、前述のステップを繰り返す。一方、判定の結果、１Ｒスイッチがオンの場合、すなわちシャッタレリーズ釦１２が半押しされた場合には、続いて、測距とレンズ駆動量の演算を行なう（Ｓ１７）。測距は、カメラ本体１００内に設けられたＡＦセンサユニット６７の出力に基づいて、撮影レンズ５１の焦点ズレ量を検出し、この焦点ズレ量に基づいて、撮影レンズ５１の駆動量を演算する。
【００４１】
次に、測距・駆動量演算結果に基づいて、撮影レンズ５１が合焦範囲内にあるかどうかの判定を行なう（Ｓ１９）。判定の結果、合焦範囲内にない場合には、レンズ鏡筒５０と通信を行なう。ここでは、合焦動作に必要な、開放絞り値やレンズ識別番号等の情報をカメラ本体１００は入手すると共に、レンズ鏡筒５０は焦点ズレ量等の情報を入手する。ここのレンズ通信で得た情報を基に、Ｌμｃｏｍ５５に合焦用モータ５７の駆動制御を指示し、合焦動作を行う（Ｓ２９）。合焦動作が終わると、ステップＳ１５、Ｓ１７に戻り、再度、測距と駆動量演算を行ない、これらの動作を合焦するまで繰り返す。
【００４２】
ステップＳ１９の判定の結果、合焦範囲内にある場合には、続いて、２Ｒスイッチの状態を判定する（Ｓ２１）。判定の結果、オフ状態であった場合には、１Ｒスイッチの状態を判定する。１Ｒスイッチがオンであった場合には、ステップＳ２１に戻り、ステップＳ２１とＳ２３を繰り返し実行する待機状態となる。１Ｒスイッチがオフとなると、ステップＳ３に戻り、前述のステップを繰り返す。
【００４３】
ステップＳ２１における判定の結果、２Ｒスイッチがオンとなると、すなわちシャッタレリーズ釦１２が全押しされると、ステップＳ３１以下の撮影動作に移行する。撮影動作に入ると、まず、測光および露出量演算を行なう（Ｓ３１）。これは、カメラ本体１００内の測光センサ６６に基づいて、被写体輝度を求め、公知の方法により適正露光となる露出量を演算する。
【００４４】
ステップＳ３１での演算が終わると、ミラーアップと絞込みを行なう（Ｓ３３）。すなわち、可動反射ミラー３を上昇させ、また絞り５２の絞込み動作開始をＬμｃｏｍ５５に指示する。続いて、撮像（露出）動作を開始する（Ｓ３５）。すなわち、シャッタ７１の先幕の走行を開始させ、撮像素子７４上に被写体像を結像させる。ステップＳ３１で演算されたシャッタ速度に対応した露出時間が経過すると、シャッタ７１の後幕の走行を開始させ、撮像（露出）動作を終了する。
【００４５】
撮像動作が終了すると、ミラーダウン・絞り開放・シャッタチャージ動作を行う（Ｓ３７）。すなわち、可動反射ミラー３をダウンさせて被写体光束を再びペンタプリズム１４および接眼レンズ６５側に導く。また、絞り５２を開放させるように、Ｌμｃｏｍ５５に指示を出力する。さらに、シャッタ７１のシャッタチャージをシャッタチャージ機構９１によって行なわせる。
【００４６】
続いて、撮像素子７４から画像データを読み出し（Ｓ３９）、この読み出された画像データについて、画像処理コントローラ８２等によって画像処理を行なう（Ｓ４１）。圧縮処理等を含む画像処理が終わると、次に、画像処理された画像データを記録メディア８６に記録を行なう（Ｓ４３）。画像データの記録が終わるとステップＳ３に戻り、前述のステップを繰り返す。
【００４７】
このように、本発明の一実施形態によれば、レンズ鏡筒５０等の付属品が装着されている場合には、グランド接触片２１がスイッチ片２２と当接し、電気的接続状態となり、一方、付属品が未装着の場合には、グランド接触片２１がスイッチ片２２から離間し、導通が断たれてしまう。このため付属品が未装着で接触ピン５が外部に露出しているような場合には、スイッチ片２２はグランド接触片２１から離間しているので、静電気が印加されるような状況でも、内部の電子機器が損傷するおそれがない。なお、請求項１に記載の発明における第１の接触片は、一実施形態においては、グランド接触片２１に相当し、また第２の接触片は、一実施形態においては、スイッチ片２２に相当する。
【００４８】
また、本実施形態によれば、外部導電部材（一実施形態ではＢＭＴフレキ２６ｂとボディマウント１）に接続されたグランド片２３を設け、レンズ鏡筒５０等の付属品が未装着の場合には、グランド接触片２１はグランド片２３と接触し、また装着している場合には、グランド接触片２１はグランド片２３との接触が断たれている。このため、付属品が未装着で接触ピン５が外部に露出している場合には、グランド接触片２２は外部導電部材の電位になっていることから、静電気が印加されるような状況でも、内部の電子機器が損傷するおそれがない。なお、請求項２に記載の発明における第３の接触片は、一実施形態においては、グランド片２３に相当する。
【００４９】
なお、本実施形態においては、付属品との接点として、ピン形状の接触ピン５を用いていたが、形状はこれに限らず、付属品の装着状態に応じて移動する接続用接点部材であればよい。また、グランド接触片２１は弾性部材で構成し、接触ピン５を押圧していたが、これに限らず、接触ピン５にバネ部材を設け、レンズ鏡筒５０側に突出するように構成してもよい。さらに、接触ピン５の露出時にグランドレベルに接続させる必要がなければ、グランド接触片２１およびグランド片２３を省略してもよい。この場合には、接触ピン５を外部に押圧する押圧部材を別途設ける。
【００５０】
本発明の実施形態の説明にあたっては、カメラとしては、一眼レフデジタルカメラに適用された例を挙げたが、デジタルカメラとしては一眼レフタイプやコンパクトタイプのデジタルカメラ等のいずれでも良く、またこれらのデジタルカメラ以外にも、ビデオカメラ、携帯電話、ＰＤＡ等の携帯電子機器でもよく、また専用機に組み込まれるような撮像装置であってもよい。いずれにしても、付属品と組み合わせて使用するカメラであれば本発明を適用できる。
【図面の簡単な説明】
【００５１】
【図１】本発明の一実施形態に係わるカメラの正面図である。
【図２】本発明の一実施形態に係わるカメラの接続装置の周辺の要部断面図である。
【図３】本発明の一実施形態に係わるカメラの電気回路ブロック図である。
【図４】本発明の一実施形態における通信コネクタ６０とその周辺の回路構成を示す電気回路ブロック図である。
【図５】本発明の一実施形態における通信コネクタ６０において、レンズ鏡筒５０が未装着の状態における電気的接続状態を示す電気回路ブロック図である。
【図６】本発明の一実施形態における通信コネクタ６０において、レンズ鏡筒５０が装着の状態における電気的接続状態を示す電気回路ブロック図である。
【図７】本発明の一実施形態におけるカメラの動作を示すフローチャート図である。
【符号の説明】
【００５２】
１・・・マウント、２・・・ミラーボックス、３・・・可動反射ミラー、４・・・接点台、５・・・接触ピン、６・・・着脱ピン、７・・・着脱釦、１１・・・モード釦、１２・・・シャッタレリーズ釦、１３・・・モードダイヤル、１４・・・ペンタプリズム、２１・・・グランド接触片、２２・・・スイッチ片、２３・・・グランド片、２４・・・外装部材、２５・・・接片支持台、２６ａ・・・ＢＭＴフレキ、２６ｂ・・・ＢＭＴフレキ、４１・・・バッファアンプ、４２・・・バッファアンプ、４３・・・プルアップ抵抗、５０・・・レンズ鏡筒、５１・・・撮影レンズ、５２・・・絞り、５３・・・レンズ駆動機構、５４・・・絞り駆動機構、５５・・・レンズ制御マイクロコンピュータ（Lμｃｏｍ）、５６・・・駆動回路、５７・・・合焦用モータ、５８・・・絞り用モータ、５９・・・接触ピン（レンズ側）、６０・・・通信コネクタ、６２・・・サブミラー、６３・・・フォーカシングスクリーン、６５・・・接眼レンズ、６６・・・測光センサ、６７・・・AFセンサユニット、７１・・・シャッタ、７２・・・防塵フィルタ、７３・・・圧電素子、７４・・・撮像素子、７５・・・撮像ユニット、８１・・・撮像インターフェース回路、８２・・・画像処理コントローラ、８３・・・液晶モニタ、８４・・・バッファメモリ（ＳＤＲＡＭ）、８５・・・フラッシュメモリ、８６・・・記録メディア、８７・・・測光回路、８８・・・防塵フィルタ駆動回路、９０・・・不揮発性メモリ（ＥＥＰＲＯＭ）、９１・・・シャッタ制御回路、９２・・・シャッタチャージ機構、９３・・・ミラー駆動機構、９４・・・AFセンサ駆動回路、１００・・・カメラ本体、１０１・・・ボディ制御用マイクロコンピュータ（Bμｃｏｍ）、１０２・・・通信コネクタ、１０３・・・動作表示用ＬＣＤ、１０４・・・カメラ操作ＳＷ、１０６・・・電源回路、１０７・・・ＵＳＢコネクタ、１０８・・・ビデオ出力コネクタ、１０９・・・ＡＣアダプタコネクタ
【図１】
2009003362.tif 000003
【図２】
2009003362.tif 000004
【図３】
2009003362.tif 000005
【図４】
2009003362.tif 000006
【図５】
2009003362.tif 000007
【図６】
2009003362.tif 000008
【図７】
2009003362.tif 000009